(57)【特許請求の範囲】
【請求項１】
仕分け室内に設置されたコンベアを用いて低温物品をカートに仕分けするシステムにおいて、
前記コンベアとの間に所定の作業空間を存して設置され、当該コンベア側に開口部を有すると共に、この開口部より前記カートが納出自在に収納される冷却庫と、圧縮機、前記仕分け室内に設置された室内凝縮器及び仕分け室外に設置された室外凝縮器の並列回路、減圧装置及び前記冷却庫内に設けられた冷却器とを順次環状に配管接続して構成された冷却装置と、前記冷却庫内の温度を検出するセンサと、このセンサの出力に基づいて前記室内凝縮器に冷媒を流すか、前記室外凝縮器に冷媒を流すかを制御する制御装置とを備え、この制御装置は、前記センサが検出する冷却庫内温度が下限温度より低い場合には前記室内凝縮器に冷媒を流し、上限温度より高い場合には前記室外凝縮器に冷媒を流すことを特徴とする低温仕分けシステム。
【請求項２】
圧縮機と室内凝縮器及び室外凝縮器間に介設された三方弁を備え、制御装置は、この三方弁により各凝縮器への冷媒流通を制御することを特徴とする請求項１の低温仕分けシステム。
【請求項３】
室内凝縮器と室外凝縮器の冷媒下流側には、減圧装置側を順方向とする逆止弁をそれぞれ設けたことを特徴とする請求項１又は請求項２の低温仕分けシステム。
【請求項４】
仕分け室内に設置されたコンベアを用いて低温物品をカートに仕分けするシステムにおいて、
前記コンベアとの間に所定の作業空間を存して設置され、当該コンベア側に開口部を有すると共に、この開口部より前記カートが納出自在に収納される冷却庫と、圧縮機、前記仕分け室外に設置された室外凝縮器、前記仕分け室内に設置された室内凝縮器、減圧装置及び前記冷却庫内に設けられた冷却器とを順次環状に配管接続して構成された冷却装置と、前記室外凝縮器に外気を通風する送風機と、前記冷却庫内の温度を検出するセンサと、このセンサの出力に基づいて前記送風機の運転を制御する制御装置とを備え、この制御装置は、前記センサが検出する冷却庫内温度が下限温度より低い場合には前記送風機を停止若しくは減速することを特徴とする低温仕分けシステム。
【請求項５】
仕分け室内に設置されたコンベアを用いて低温物品をカートに仕分けするシステムにおいて、
前記コンベアとの間に所定の作業空間を存して設置され、当該コンベア側に開口部を有すると共に、この開口部より前記カートが納出自在に収納される冷却庫と、圧縮機、前記仕分け室内に設置された室内凝縮器、前記仕分け室外に設置された室外凝縮器、減圧装置及び前記冷却庫内に設けられた冷却器とを順次環状に配管接続して構成された冷却装置と、前記室内凝縮器に仕分け室内の空気を通風する送風機と、前記冷却庫内の温度を検出するセンサと、このセンサの出力に基づいて前記送風機の運転を制御する制御装置とを備え、この制御装置は、前記センサが検出する冷却庫内温度が上限温度より高い場合には前記送風機を停止若しくは減速することを特徴とする低温仕分けシステム。
【発明の詳細な説明】
【０００１】
【発明の属する技術分野】
本発明は、コンベア上を流れてくる低温物品をカートに仕分けするための仕分けシステムに関するものである。
【０００２】
【従来の技術】
従来よりスーパーマーケットのプロセスセンターや低温宅配便業者においては、仕分け工場にコンベアを設置すると共に、輸送・配送する食品などの低温物品を当該コンベアを用いて流し、作業員がコンベアから低温物品を取り上げて（ピッキング）、例えば行く先別にカート（ロールパレット或いはコンテナカートなどと称される）に仕分けする作業が行われている。
【０００３】
【発明が解決しようとする課題】
この場合、仕分けされた低温物品は仕分けが終了するまで比較的長時間カート内に保持されることになるため、温度上昇によって品質が劣化してしまう。そこで、従来では工場の仕分け室内全体を空調装置によって０℃〜＋１５℃に冷房していたが、作業員の周囲も低温となるため、夏場でも防寒着を着用しなければならないなど、劣悪な作業環境となっていた。
【０００４】
一方、例えば実開平５−４０７８１号公報（Ｆ２５Ｄ１３／００）には、コンベア上を流れる物品を直接冷却する凍結装置が示されているが、コンベア上に低温物品が存在する時間は長くても数十秒であるため、係る装置を上述の如き仕分け工場に採用してコンベア上のみを冷やし、室内は常温としたとしても、仕分け後の品質劣化の防止には殆ど意味を持たない。
【０００５】
本発明は、係る従来の技術的課題を解決するために成されたものであり、コンベアを用いて低温物品を仕分ける仕分けシステムにおいて、物品の品質劣化を生じること無く、作業空間の環境を改善することを目的とする。
【０００６】
【課題を解決するための手段】
本発明の低温仕分けシステムは、仕分け室内に設置されたコンベアを用いて低温物品をカートに仕分けするものであって、コンベアとの間に所定の作業空間を存して設置され、当該コンベア側に開口部を有すると共に、この開口部よりカートが納出自在に収納される冷却庫と、圧縮機、仕分け室内に設置された室内凝縮器及び仕分け室外に設置された室外凝縮器の並列回路、減圧装置及び冷却庫内に設けられた冷却器とを順次環状に配管接続して構成された冷却装置と、冷却庫内の温度を検出するセンサと、このセンサの出力に基づいて室内凝縮器に冷媒を流すか、室外凝縮器に冷媒を流すかを制御する制御装置とを備え、この制御装置は、センサが検出する冷却庫内温度が下限温度より低い場合には室内凝縮器に冷媒を流し、上限温度より高い場合には室外凝縮器に冷媒を流すものである。
【０００７】
本発明によれば、仕分け室内のコンベアとの間に所定の作業空間を存し、当該コンベア側に開口部を有して、この開口部よりカートが納出自在に収納される冷却庫を設置すると共に、この冷却庫内は冷却装置の冷却器を設けて冷却するようにしたので、コンベアから取り上げられ、カートに仕分けされた低温物品をカートごと冷却庫内にて保冷することができるようになる。また、仕分け室内には室内凝縮器を設置しているので、この室内凝縮器からの放熱によって仕分け室内を暖房することができるようになる。
【０００８】
これらにより、仕分け室内の温度を維持しながら、仕分け中物品を保冷して置くことができるようになり、低温物品の品質劣化を防止しつつ、作業空間の環境改善を行うことができるようになる。また、冷却庫はコンベア側に開口部を備えているので、カートの納出やコンベアから取り上げた低温物品をカート内に収納する作業にも支障が生じない。
【０００９】
特に、冷却装置は、圧縮機、前記室内凝縮器及び仕分け室外に設置された室外凝縮器の並列回路、減圧装置及び前記冷却器とを順次環状に配管接続して構成されると共に、冷却庫内の温度を検出するセンサの出力に基づいて室内凝縮器に冷媒を流すか、室外凝縮器に冷媒を流すかを制御する制御装置を設け、この制御装置により、センサが検出する冷却庫内温度が下限温度より低い場合には室内凝縮器に冷媒を流し、上限温度より高い場合には室外凝縮器に冷媒を流すよう構成しているので、冷却庫内の温度が低い場合には室内凝縮器にて冷却装置の廃熱を仕分け室内に放出し、冷却庫内の温度が高い場合には、冷却装置の廃熱を室外凝縮器にて仕分け室外に放出することができるようになる。
【００１０】
これにより、仕分け室内を作業に適した温度としながら、冷却庫内の温度を所定の温度に維持することが可能となるものである。
【００１１】
請求項２の発明の低温仕分けシステムは、請求項１の発明に加えて、圧縮機と室内凝縮器及び室外凝縮器間に介設された三方弁を備えて成るものであり、制御装置は、この三方弁により各凝縮器への冷媒流通を制御するものである。
【００１２】
請求項２の発明によれば、請求項１の発明において圧縮機と室内凝縮器及び室外凝縮器間に三方弁を介設し、制御装置が、この三方弁により各凝縮器への冷媒流通を制御するようにしたので、冷媒流通の切り換えを確実且つ円滑に行って的確な温度制御を実現することができるようになるものである。
【００１３】
請求項３の発明の低温仕分けシステムは、請求項１又は請求項２の発明に加えて室内凝縮器と室外凝縮器の冷媒下流側には、減圧装置側を順方向とする逆止弁をそれぞれ設けているものである。
【００１４】
請求項３の発明によれば、請求項１又は請求項２の発明において室内凝縮器と室外凝縮器の冷媒下流側には、減圧装置側を順方向とする逆止弁をそれぞれ設けたので、何れか一方の凝縮器を出た冷媒が他方の凝縮器に逆流することが無くなり、温度制御性が一層向上するものである。
【００１５】
請求項４の発明の低温仕分けシステムは、仕分け室内に設置されたコンベアを用いて低温物品をカートに仕分けするものであって、コンベアとの間に所定の作業空間を存して設置され、当該コンベア側に開口部を有すると共に、この開口部よりカートが納出自在に収納される冷却庫と、圧縮機、仕分け室外に設置された室外凝縮器、仕分け室内に設置された室内凝縮器、減圧装置及び前記冷却庫内に設けられた冷却器とを順次環状に配管接続して構成された冷却装置と、室外凝縮器に外気を通風する送風機と、冷却庫内の温度を検出するセンサと、このセンサの出力に基づいて送風機の運転を制御する制御装置とを備え、この制御装置は、センサが検出する冷却庫内温度が下限温度より低い場合には送風機を停止若しくは減速することを特徴とするものである。
【００１６】
請求項４の発明によれば、仕分け室内のコンベアとの間に所定の作業空間を存し、当該コンベア側に開口部を有して、この開口部よりカートが納出自在に収納される冷却庫を設置すると共に、この冷却庫内は冷却装置の冷却器を設けて冷却するようにしたので、コンベアから取り上げられ、カートに仕分けされた低温物品をカートごと冷却庫内にて保冷することができるようになる。また、仕分け室内には室内凝縮器を設置しているので、この室内凝縮器からの放熱によって仕分け室内を暖房することができるようになる。
【００１７】
これらにより、仕分け室内の温度を維持しながら、仕分け中物品を保冷して置くことができるようになり、低温物品の品質劣化を防止しつつ、作業空間の環境改善を行うことができるようになる。また、冷却庫はコンベア側に開口部を備えているので、カートの納出やコンベアから取り上げた低温物品をカート内に収納する作業にも支障が生じない。
【００１８】
特に、冷却装置は、圧縮機、仕分け室外に設置された室外凝縮器、室内凝縮器、減圧装置及び前記冷却器とを順次環状に配管接続して構成されると共に、室外凝縮器に外気を通風する送風機と、冷却庫内の温度を検出するセンサの出力に基づいて送風機の運転を制御する制御装置とを設け、この制御装置により、センサが検出する冷却庫内温度が下限温度より低い場合には送風機を停止若しくは減速するよう構成しているので、冷却庫内の温度が低い場合には室外凝縮器による放熱を少なくし、室内凝縮器にて冷却装置の廃熱をより多く仕分け室内に放出することができるようになる。
【００１９】
これにより、仕分け室内を作業に適した温度としながら、冷却庫内の温度を所定の温度に維持することが可能となるものである。
【００２０】
請求項５の発明の低温仕分けシステムは、仕分け室内に設置されたコンベアを用いて低温物品をカートに仕分けするシステムであって、コンベアとの間に所定の作業空間を存して設置され、当該コンベア側に開口部を有すると共に、この開口部より前記カートが納出自在に収納される冷却庫と、圧縮機、仕分け室内に設置された室内凝縮器、仕分け室外に設置された室外凝縮器、減圧装置及び冷却庫内に設けられた冷却器とを順次環状に配管接続して構成された冷却装置と、室内凝縮器に仕分け室内の空気を通風する送風機と、冷却庫内の温度を検出するセンサと、このセンサの出力に基づいて送風機の運転を制御する制御装置とを備え、この制御装置は、前記センサが検出する冷却庫内温度が上限温度より高い場合には送風機を停止若しくは減速するものである。
【００２１】
請求項５の発明によれば、仕分け室内のコンベアとの間に所定の作業空間を存し、当該コンベア側に開口部を有して、この開口部よりカートが納出自在に収納される冷却庫を設置すると共に、この冷却庫内は冷却装置の冷却器を設けて冷却するようにしたので、コンベアから取り上げられ、カートに仕分けされた低温物品をカートごと冷却庫内にて保冷することができるようになる。また、仕分け室内には室内凝縮器を設置しているので、この室内凝縮器からの放熱によって仕分け室内を暖房することができるようになる。
【００２２】
これらにより、仕分け室内の温度を維持しながら、仕分け中物品を保冷して置くことができるようになり、低温物品の品質劣化を防止しつつ、作業空間の環境改善を行うことができるようになる。また、冷却庫はコンベア側に開口部を備えているので、カートの納出やコンベアから取り上げた低温物品をカート内に収納する作業にも支障が生じない。
【００２３】
特に、冷却装置は、圧縮機、室内凝縮器、仕分け室外に設置された室外凝縮器、減圧装置及び冷却器とを順次環状に配管接続して構成されると共に、室内凝縮器に仕分け室内の空気を通風する送風機と、冷却庫内の温度を検出するセンサの出力に基づいて送風機の運転を制御する制御装置とを設け、この制御装置により、センサが検出する冷却庫内温度が上限温度より高い場合には送風機を停止若しくは減速するよう構成しているので、冷却庫内の温度が高い場合には室内凝縮器による放熱を少なくし、室外凝縮器にて冷却装置の廃熱をより多く仕分け室外に放出することができるようになる。
【００２４】
これにより、仕分け室内を作業に適した温度としながら、冷却庫内の温度を所定の温度に維持することが可能となるものである。
【００２５】
【発明の実施の形態】
以下、図面に基づき本発明の実施形態を詳述する。図１は本発明の低温仕分けシステムを適用したスーパーマーケットのプロセスセンターにおける仕分け室１の斜視図、図２は同じく仕分け室１の側面図、図３は図２の拡大図、図４は低温仕分けシステムの冷却装置３０の冷媒回路図をそれぞれ示している。
【００２６】
各図において、仕分け室１内には行き先別に食品などの低温物品が仕分けされ、行き先のラベルなども投入されたコンテナ２を搬送するための主コンベア３が設置されると共に、この主コンベア３には複数の副コンベア４・・・が分岐するかたちで設置されている。
【００２７】
当初主コンベア３上を流れるコンテナ２は、所定の副コンベア４のところまで流れると図示しない仕分け装置によって、当該副コンベア４側に押し出され、その後は当該副コンベア４によって末端に向け搬送されるものである。
【００２８】
各副コンベア４・・には、それとの間に所定の作業空間６を存して冷却庫７が平行に設置されている。この冷却庫７は背面の断熱パネル８、天面の断熱パネル９及び前面の断熱パネル１１から構成されており、副コンベア４側の断熱パネル１１と床面との間に開口部１２が形成されている。
【００２９】
天面の断熱パネル９の内側には後述する冷却装置と共に冷凍サイクルを構成する冷却器１４が取り付けられており、この冷却器１４から吹き出された冷気は冷却庫７内を循環して冷却するものである。また、冷却庫７の開口部１２の上縁に位置する断熱パネル１１の内側及び外側には、送風装置１７、１８が左右に渡ってそれぞれ設置されている。
【００３０】
内側の送風装置１７は上方から冷却庫７内の冷気を吸引して下方の開口部１２に向けて吹き出すもので、これによって開口部１２の内側には冷気のエアーカーテンが形成される。また、外側の送風装置１８は上方から仕分け室１内の空気を吸引して下方の開口部１２に向けて吹き出すもので、これによって開口部１２の外側にもエアーカーテンが形成される。
【００３１】
これによって、冷却庫７の開口部１２には二重のエアーカーテンが形成されると共に、内側の送風装置１７によって下方に吹き出された冷気は、開口部１２にエアーカーテンを形成した後、冷却庫７内に循環し、外側の送風装置１８によって下方に吹き出された空気は、開口部１２にエアーカーテンを形成した後、作業空間６に配置された作業者１９の足下に送られることになる。
【００３２】
一方、２１はロールパレット、保冷パレット或いはコンテナカートなどと称されるカートであり、底面には移動用の車輪２２・・・が取り付けられて移動自在とされている。このカート２１にはコンテナ２が仕分けされて積み上げられることになる。
【００３３】
ここで、前記冷却庫７はカート２１を充分余裕をもって内部に収納可能な寸法を有していると共に、その開口１２もカート２１が通過可能な寸法とされている。これにより、カート２１は冷却庫７内に納出自在に収納される。
【００３４】
そのため、カート２１の納出やコンベア４から取り上げた低温物品２をカート２１内に収納する作業にも支障が生じない。
【００３５】
他方、仕分け室１の天井１Ａには前記冷却器１４と共に冷却装置３０を構成する後述する室内凝縮器３３が設けられている。この室内凝縮器３３は高温冷媒の通過により放熱作用を生じるもので、係る高温冷媒の放熱によって仕分け室１内を暖房する機能を奏する。
【００３６】
以上の構成で実際の仕分け作業を説明する。前述の如く冷却庫７内には各図に示す如く例えば行き先別のカート２１が複数収納されると共に、冷却庫７内は前述の如く冷却器１４によって所定温度に冷却されている。そして、作業員１９は副コンベア４と冷却庫７間の作業空間６に配置される。
【００３７】
そして、副コンベア４上を前述の如くコンテナ２が搬送されて来ると、作業員１９はコンテナ２を取り上げ（ピッキング）、投入された前記ラベルを見て行き先を確かめる。そして、冷却庫７の開口部１２から、当該行き先のカート２１内にコンテナ２を収納し、積み上げて行く。
【００３８】
そして、複数のコンテナ２・・が積み上げられ、仕分け作業が終了したら、カート２１を冷却庫７内から引き出し、そのまま配送車に積載するか、別な冷蔵庫に保管するものである。
【００３９】
以上のように構成されていることにより、低温物品２は仕分け室１内においてコンベア４から取り上げられ、カート２１に仕分けされた後、カート２１ごと冷却庫７内にて保冷することができる。また、仕分け室１内には室内凝縮器３３が設置されているので、この室内凝縮器３３からの放熱によって仕分け室１内を暖房することができる。
【００４０】
これらにより、仕分け室１内の温度を維持しながら、仕分け中物品２を保冷して置くことができるようになり、低温物品２の品質劣化を防止しつつ、作業空間の環境改善を行うことができる。
【００４１】
次に上記低温仕分けシステムで用いられる冷却装置の一実施例について図４、図５を用いて説明する。図４は冷却装置３０の冷媒回路図、図５は制御装置４２の動作フローチャートである。
【００４２】
冷却装置３０は、圧縮機３６と、仕分け室１内に設置された前記室内凝縮器３３と、仕分け室１の外に設置された室外凝縮器３７と、減圧装置としての膨張弁４５と、冷却庫７内に取り付けられた前記冷却器１４と、三方弁４３と、逆止弁４４、４４とを備えて周知の冷媒回路を構成して成るものである。
【００４３】
この場合、圧縮機３６の吐出側に三方弁４３を介して室内凝縮器３３と室外凝縮器３７が並列に接続されており、次いでそれぞれの凝縮器３３、３７の下流側に膨張弁４５側を順方向とする逆止弁４４、４４がそれぞれ接続されている。そして、両凝縮器３３、３７と直列に膨張弁４５及び冷却器１４が順次接続され、冷却器１４が圧縮機３６の吸込側に接続されている。
【００４４】
逆止弁４４がそれぞれの凝縮器３３、３７の下流側に設けられていることにより、何れか一方の凝縮器を出た冷媒が他方の凝縮器に逆流することが無くなり、温度制御性が向上する。
【００４５】
一方、室内凝縮器３３、室外凝縮器３７、冷却器１４のそれぞれに対応して送風機３３Ａ、送風機３７Ａ、送風装置１７が設けられている。
【００４６】
更に、冷却庫７内には、冷却庫７内の温度を検出するためのセンサ４１が設けられている。このセンサ４１の出力は制御装置４２に入力され、制御装置４２の出力は三方弁４３に接続されており、係るセンサ４１で検出された温度によって制御装置４２により三方弁４３の制御がなされる。
【００４７】
これにより、冷媒流通の室内凝縮器３３又は室外凝縮器３７への切り換えを確実且つ円滑に行って的確な温度制御を実現することができる。
【００４８】
係る制御装置４２の動作を図５を用いて説明する。冷却庫７内の上限温度Ｔ２と下限温度Ｔ１を予め設定する。制御装置４２は、ステップＳ１にてセンサ４１が検出した冷却庫７内の温度ＴがＴ１以下（Ｔ≦Ｔ１）か、Ｔ２よりも高い（Ｔ＞Ｔ２）かを判断する。
【００４９】
ステップＳ１の判断にてセンサ４１で検出した温度ＴがＴ１以下の場合はステップＳ２に進む。係るステップＳ２では、前記三方弁４３を室内凝縮器３３へ切り替え、冷媒を室内凝縮器３３に流す。これにより、室内凝縮器３３が放熱する。
【００５０】
また、ステップＳ１の判断にてセンサ４１で検出した温度ＴがＴ２よりも高い場合はステップＳ３に進む。係るステップＳ３では、前記三方弁４３を室外凝縮器３７へ切り替え、冷媒を室外凝縮器３７に流す。これにより、室外凝縮器３７が放熱する。尚、ステップＳ２、ステップＳ３は、随時ステップＳ１に戻り、係る判断を繰り返すものである。また、ステップＳ１の判断において、センサ４１で検出した温度ＴがＴ１＜Ｔ≦Ｔ２である場合は、現状を維持するものする。
【００５１】
以上の構成により、圧縮機３６が運転されると、圧縮機３６から吐出された高温高圧の冷媒は、制御装置４２の制御により、室内凝縮器３３又は室外凝縮器３７のいずれかの凝縮器にて凝縮される。
【００５２】
この際に、前記三方弁４３が室内凝縮器３３に切り替えられている場合は、この室内凝縮器３３の放熱にて暖められた空気は送風機３３Ａにて仕分け室１内を暖房する。一方、前記三方弁４３が室外凝縮器３７に切り替えられている場合は、この室外凝縮器３３にて放熱された熱量は送風機３７Ａにて仕分け室１外に排出される。
【００５３】
そして、これらで凝縮された冷媒は、膨張弁４５にて減圧された後、冷却器１４内に流入する。冷媒はそこで蒸発した後、圧縮機３６に帰還するが、このとき吸熱作用にて冷却器１４は冷却作用を発揮する。この冷却器１４にて冷却された冷気は送風装置１７にて冷却庫７内を冷却する。
【００５４】
本実施例は以上のように構成したことにより、センサ４１が検出する冷却庫７内温度が低い場合には室内凝縮器３３に冷媒を流し、高い場合には室外凝縮器３７に冷媒を流すため、冷却庫７内の温度が低い場合には室内凝縮器３３にて冷却装置３０の廃熱を仕分け室１内に放出し、冷却庫７内の温度が高い場合には、冷却装置３０の廃熱を室外凝縮器３７にて仕分け室１外に放出することができる。
【００５５】
これにより、仕分け室１内を作業に適した温度としながら、冷却庫７内の温度を所定の温度に維持することが可能となる。
【００５６】
次に、上記低温仕分けシステムで用いられる冷却装置の他の実施例について図６を用いて説明する。図６はこの実施例の低温仕分けシステムの冷却装置３１の冷媒回路図である。尚、図４と同様の符号のものは係る実施例においても同様又はこれに類する機能を有するものとする。
【００５７】
この実施例の低温仕分けシステムの冷却装置３１は、圧縮機３６と、仕分け室１内に設置された室内凝縮器３４と、仕分け室１の外に設置された室外凝縮器３８と、減圧装置としての膨張弁４５と、冷却器１４と、冷却庫７庫内に取り付けられたセンサ４１と、センサ４１により作動する制御装置４６を備えて構成して成るものである。
【００５８】
この場合冷媒回路は、圧縮機３６と、室外凝縮器３８と、室内凝縮器３４と、膨張弁４５及び冷却器１４とが順次直列に接続されている。また、室外凝縮器３８、室内凝縮器３４、冷却器１４のそれぞれに対応して送風機３８Ａ、送風機３４Ａ、送風装置１７が設けられている。
【００５９】
そして、冷却庫７内には、前述と同様に冷却庫７内の温度を検出するためのセンサ４１が設けられている。このセンサ４１の出力は制御装置４６に入力され、制御装置４６の出力は前記室外凝縮器３８に対応して設けられた送風機３８Ａに接続されており、係るセンサ４１で検出された温度によって送風機３８Ａの制御がなされる。
【００６０】
係る制御装置４６の動作は、前述と同様に冷却庫７内の設定温度が予め設定されている。はじめ制御装置４６は、センサ４１で検出した温度Ｔが設定温度よりも高いか低いかを判断する。
【００６１】
センサ４１で検出した温度が設定温度に基づく上限温度よりも高い場合には、送風機３８Ａを運転（ＯＮ）とする。また、センサ４１で検出した温度が下限温度以下の場合には、送風機３８Ａの運転を停止（ＯＦＦ）若しくは減速する。
【００６２】
以上の構成により、圧縮機３６が運転されると、圧縮機３６から吐出された高温高圧の冷媒は、室外凝縮器３８と室内凝縮器３４に順次流入して凝縮される。
【００６３】
このとき上述の如くセンサ４１で検出した温度が上限温度よりも高い場合には、室外凝縮器３８に対応する送風機３８Ａが運転され、係る室外凝縮器３８を通過する冷媒は主に仕分け室１外で放熱され、当該室外凝縮器３８の下流側に設置された室内凝縮器３４には、放熱後の、即ち、温度の低い冷媒が流入することになる。
【００６４】
一方、センサ４１で検出した温度が設定温度以下の場合には、室外凝縮器３８に対応する送風機３８Ａを停止若しくは減速し、高温高圧の冷媒は殆ど放熱されることなく、当該室外凝縮器３８の下流側に設置された室内凝縮器３４に流入し、係る室内凝縮器３４にて前記送風機３４Ａにより冷却装置３１の廃熱を仕分け室１内に放出する。
【００６５】
そして、室外凝縮器３８及び室内凝縮器３４を通過すると共に凝縮された冷媒は、膨張弁４５にて減圧された後、冷却器１４内に流入する。前述同様に冷媒はそこで蒸発した後、圧縮機３６に帰還するが、このとき吸熱作用にて冷却器１４は冷却作用を発揮する。この冷却器１４にて冷却された冷気は送風装置１７にて冷却庫７内を冷却する。
【００６６】
本実施例においては以上のように冷却装置３１を構成したことにより、制御装置４６が、センサ４１が検出する冷却庫７内の温度が低い場合には送風機３８Ａを停止若しくは減速し、室外凝縮器３８による放熱を少なくし、室内凝縮器３４にて冷却装置３１の廃熱をより多く仕分け室１内に放出することができる。
【００６７】
そして、冷却庫７内の温度が高い場合には、室外凝縮器３８における放熱を行って、室内凝縮器３４ではあまり放熱しないようにする。これにより、仕分け室１内を作業に適した温度としながら、冷却庫７内の温度を所定の温度に維持することが可能となる。
【００６８】
次に、上記低温仕分けシステムで用いられる冷却装置のもう一つの他の実施例について図７を用いて説明する。図７はこの場合の低温仕分けシステムの冷却装置３２の冷媒回路図である。尚、図４と同様の符号のものは係る実施例においても同様又はこれに類する機能を有するものとする。
【００６９】
この場合の低温仕分けシステムの冷却装置３２は、圧縮機３６と、仕分け室１内に設置された室内凝縮器３５と、仕分け室１の外に設置された室外凝縮器３９と、減圧装置としての膨張弁４５と、冷却器１４と、冷却庫７庫内に取り付けられたセンサ４１と、センサ４１により作動する制御装置４７を備えて構成して成るものである。
【００７０】
この場合の冷媒回路は、圧縮機３６と、室内凝縮器３５と、室外凝縮器３９と、膨張弁４５及び冷却器１４とが順次直列に接続されている。また、室内凝縮器３５、室外凝縮器３９、冷却器１４のそれぞれに対応して送風機３５Ａ、送風機３９Ａ、送風装置１７が設けられている。
【００７１】
そして、冷却庫７内には、最初の実施例と同様に冷却庫７内の温度を検出するためのセンサ４１が設けられている。このセンサ４１の出力は制御装置４７に入力され、制御装置４７の出力は前記室内凝縮器３５に対応して設けられた送風機３５Ａに接続されており、係るセンサ４１で検出された温度によって送風機３５Ａの制御がなされる。
【００７２】
係る制御装置４７の動作は、前述同様に冷却庫７内の設定温度が予め設定されている。はじめ制御装置４７は、センサ４１で検出した温度Ｔが設定温度よりも高いか低いかを判断する。
【００７３】
センサ４１で検出した温度が設定温度に基づく上限温度よりも高い場合には、送風機３５Ａを運転を停止（ＯＦＦ）若しくは減速する。また、センサ４１で検出した温度が設定温度よりも低い場合には、送風機３５Ａを運転（ＯＮ）する。
【００７４】
以上の構成により、圧縮機３６が運転されると、圧縮機３６から吐出された高温高圧の冷媒は、室内凝縮器３５と室外凝縮器３９に順次流入して凝縮される。
【００７５】
このとき上述の如くセンサ４１で検出した温度が上限温度よりも高い場合には、室内凝縮器３５に対応する送風機３５Ａは停止若しくは減速され、高温高圧の冷媒はあまり放熱することなく、当該室内凝縮器３５の下流側に設置された室外凝縮器３９に流入し、係る室外凝縮器３９にて前記送風機３９Ａにより冷却装置３２の廃熱を仕分け室１外に排出する。
【００７６】
一方、センサ４１で検出した温度が設定温度以下の場合には、室内凝縮器３５に対応する送風機３５Ａが運転され、係る室内凝縮器３５を通過する冷媒は仕分け室１内で放熱し、当該室内凝縮器３５の下流側に設置された室外凝縮器３９には、放熱後の温度の低い冷媒が流入することになる。
【００７７】
そして、室内凝縮器３５及び室外凝縮器３９を通過すると共に凝縮された冷媒は、膨張弁４５にて減圧された後、冷却器１４内に流入する。そして、同様に冷媒はそこで蒸発した後、圧縮機３６に帰還するが、このとき吸熱作用にて冷却器１４は冷却作用を発揮する。この冷却器１４にて冷却された冷気は送風装置１７にて冷却庫７内を冷却する。
【００７８】
本実施例においては以上のように冷却装置３２を構成したことにより、センサ４１が検出する冷却庫７内の温度が高い場合には、制御装置４７が送風機３５Ａを停止若しくは減速し、室内凝縮器３５による放熱を少なくして、室外凝縮器３９にてより多く廃熱を室外に放出する。そして、温度が引い場合には、送風機３５Ａを運転して室内凝縮器３５にて室内に廃熱を放出する。
【００７９】
これにより、仕分け室１内を作業に適した温度としながら、冷却庫７内の温度を所定の温度に維持することが可能となる。
【００８０】
【発明の効果】
以上詳述した如く本発明によれば、仕分け室内のコンベアとの間に所定の作業空間を存し、当該コンベア側に開口部を有して、この開口部よりカートが納出自在に収納される冷却庫を設置すると共に、この冷却庫内は冷却装置の冷却器を設けて冷却するようにしたので、コンベアから取り上げられ、カートに仕分けされた低温物品をカートごと冷却庫内にて保冷することができるようになる。また、仕分け室内には室内凝縮器を設置しているので、この室内凝縮器からの放熱によって仕分け室内を暖房することができるようになる。
【００８１】
これらにより、仕分け室内の温度を維持しながら、仕分け中物品を保冷して置くことができるようになり、低温物品の品質劣化を防止しつつ、作業空間の環境改善を行うことができるようになる。また、冷却庫はコンベア側に開口部を備えているので、カートの納出やコンベアから取り上げた低温物品をカート内に収納する作業にも支障が生じない。
【００８２】
特に、冷却装置は、圧縮機、前記室内凝縮器及び仕分け室外に設置された室外凝縮器の並列回路、減圧装置及び前記冷却器とを順次環状に配管接続して構成されると共に、冷却庫内の温度を検出するセンサの出力に基づいて室内凝縮器に冷媒を流すか、室外凝縮器に冷媒を流すかを制御する制御装置を設け、この制御装置により、センサが検出する冷却庫内温度が下限温度より低い場合には室内凝縮器に冷媒を流し、上限温度より高い場合には室外凝縮器に冷媒を流すよう構成しているので、冷却庫内の温度が低い場合には室内凝縮器にて冷却装置の廃熱を仕分け室内に放出し、冷却庫内の温度が高い場合には、冷却装置の廃熱を室外凝縮器にて仕分け室外に放出することができるようになる。
【００８３】
これにより、仕分け室内を作業に適した温度としながら、冷却庫内の温度を所定の温度に維持することが可能となるものである。
【００８４】
請求項２の発明によれば、上記において圧縮機と室内凝縮器及び室外凝縮器間に三方弁を介設し、制御装置が、この三方弁により各凝縮器への冷媒流通を制御するようにしたので、冷媒流通の切り換えを確実且つ円滑に行って的確な温度制御を実現することができるようになるものである。
【００８５】
請求項３の発明によれば、上記各発明において室内凝縮器と室外凝縮器の冷媒下流側には、減圧装置側を順方向とする逆止弁をそれぞれ設けたので、何れか一方の凝縮器を出た冷媒が他方の凝縮器に逆流することが無くなり、温度制御性が一層向上するものである。
【００８６】
請求項４の発明によれば、仕分け室内のコンベアとの間に所定の作業空間を存し、当該コンベア側に開口部を有して、この開口部よりカートが納出自在に収納される冷却庫を設置すると共に、この冷却庫内は冷却装置の冷却器を設けて冷却するようにしたので、コンベアから取り上げられ、カートに仕分けされた低温物品をカートごと冷却庫内にて保冷することができるようになる。また、仕分け室内には室内凝縮器を設置しているので、この室内凝縮器からの放熱によって仕分け室内を暖房することができるようになる。
【００８７】
これらにより、仕分け室内の温度を維持しながら、仕分け中物品を保冷して置くことができるようになり、低温物品の品質劣化を防止しつつ、作業空間の環境改善を行うことができるようになる。また、冷却庫はコンベア側に開口部を備えているので、カートの納出やコンベアから取り上げた低温物品をカート内に収納する作業にも支障が生じない。
【００８８】
特に、冷却装置は、圧縮機、仕分け室外に設置された室外凝縮器、前記室内凝縮器、減圧装置及び前記冷却器とを順次環状に配管接続して構成されると共に、室外凝縮器に外気を通風する送風機と、冷却庫内の温度を検出するセンサの出力に基づいて送風機の運転を制御する制御装置とを設け、この制御装置により、センサが検出する冷却庫内温度が下限温度より低い場合には送風機を停止若しくは減速するよう構成しているので、冷却庫内の温度が低い場合には室外凝縮器による放熱を少なくし、室内凝縮器にて冷却装置の廃熱をより多く仕分け室内に放出することができるようになる。
【００８９】
これにより、仕分け室内を作業に適した温度としながら、冷却庫内の温度を所定の温度に維持することが可能となるものである。
【００９０】
請求項５の発明によれば、仕分け室内のコンベアとの間に所定の作業空間を存し、当該コンベア側に開口部を有して、この開口部よりカートが納出自在に収納される冷却庫を設置すると共に、この冷却庫内は冷却装置の冷却器を設けて冷却するようにしたので、コンベアから取り上げられ、カートに仕分けされた低温物品をカートごと冷却庫内にて保冷することができるようになる。また、仕分け室内には室内凝縮器を設置しているので、この室内凝縮器からの放熱によって仕分け室内を暖房することができるようになる。
【００９１】
これらにより、仕分け室内の温度を維持しながら、仕分け中物品を保冷して置くことができるようになり、低温物品の品質劣化を防止しつつ、作業空間の環境改善を行うことができるようになる。また、冷却庫はコンベア側に開口部を備えているので、カートの納出やコンベアから取り上げた低温物品をカート内に収納する作業にも支障が生じない。
【００９２】
特に、冷却装置は、圧縮機、前記室内凝縮器、仕分け室外に設置された室外凝縮器、減圧装置及び前記冷却器とを順次環状に配管接続して構成されると共に、室内凝縮器に仕分け室内の空気を通風する送風機と、冷却庫内の温度を検出するセンサの出力に基づいて送風機の運転を制御する制御装置とを設け、この制御装置により、センサが検出する冷却庫内温度が上限温度より高い場合には送風機を停止若しくは減速するよう構成しているので、冷却庫内の温度が高い場合には室内凝縮器による放熱を少なくし、室外凝縮器にて冷却装置の廃熱をより多く仕分け室外に放出することができるようになる。
【００９３】
これにより、仕分け室内を作業に適した温度としながら、冷却庫内の温度を所定の温度に維持することが可能となるものである。
【図面の簡単な説明】
【図１】本発明の低温仕分けシステムを適用したスーパーマーケットのプロセスセンターにおける仕分け室の斜視図である。
【図２】同じく仕分け室の側面図である。
【図３】図２の拡大図である。
【図４】低温仕分けシステムの冷却装置の冷媒回路図である。
【図５】図４の制御装置のフローチャートである。
【図６】本発明の他の実施例の低温仕分けシステムの冷却装置の冷媒回路図である。
【図７】本発明のもう一つの他の実施例の低温仕分けシステムの冷却装置の冷媒回路図である。
【符号の説明】
１  仕分け室
２  コンテナ
３  主コンベア
４  副コンベア
６  作業空間
７  冷却庫
１２  開口部
１４  冷却器
１７、１８  送風装置
２１  カート
３０、３１、３２  冷却装置
３３、３４、３５  室内凝縮器
３６  圧縮機
３７、３８、３９  室外凝縮器
４１  センサ
４２、４６、４７  制御装置
４３  三方弁
４４  逆止弁
４５  膨張弁
【図１】
0003625641.tif 000002
【図２】
0003625641.tif 000003
【図３】
0003625641.tif 000004
【図４】
0003625641.tif 000005
【図５】
0003625641.tif 000006
【図６】
0003625641.tif 000007
【図７】
0003625641.tif 000008